【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
Ｎ本のアンテナを備えた第１の端末からＭ本のアンテナを備えた第２の端末へ空間多重されたストリームを用いてデータ伝送を行なう無線通信システムであって（但し、Ｎは２以上の整数で、Ｍは１以上の整数とする）、
前記第２の端末が持つチャネル行列推定時における最大次元Ｎmaxを前記第１の端末に通知する通知手段と（但し、ＮmaxはＭ以下の整数）、
前記第１の端末から前記第２の端末へ、前記最大次元Ｎmaxに対応したチャネルを励起するためのトレーニング系列を含んだパケットを送信するトレーニング手段と、
Ｎ＞Ｍとなる場合において、前記第２の端末の各アンテナにおいて受信したトレーニング系列をＮmax本以下のストリームに分離して行数がＭで列数がＮmax以下となるチャネル行列を推定するチャネル行列推定手段と、
前記第２の端末において推定されたチャネル行列を基に、前記第１の端末においてビーム形成用送信重み行列を算出するために必要となるビーム形成用情報を作成して、前記第２の端末から前記第１の端末にフィードバックするビーム形成用情報フィードバック手段と、
前記第２の端末から前記第１の端末にフィードバックされたビーム形成用情報に基づいて、前記第１の端末から前記第２の端末へのデータ伝送時におけるビーム形成用の送信重み行列を設定する送信重み行列設定手段と、
前記第１の端末から前記第２の端末へデータ・パケットを送信する際に、送信信号に前記のビーム形成用の送信重み行列を用いて前記第１の端末の各アンテナをビーム形成するビーム形成手段と、
を具備することを特徴とする無線通信システム。
【請求項２】
Ｎ本のアンテナを備え、Ｍ本のアンテナを備えた送信先端末へ空間多重されたストリームを用いてデータ伝送を行なう無線通信装置であって（但し、Ｎは２以上の整数で、Ｍは１以上の整数とする）、
前記送信先端末が持つチャネル行列推定時における最大次元Ｎmaxの通知を受信する通知受信手段と（但し、ＮmaxはＭ以下の整数）、
前記最大次元Ｎmaxに対応したチャネルを励起するためのトレーニング系列を含んだパケットを前記送信先端末へ送信するトレーニング手段と、
Ｎ＞Ｍとなる場合において、前記送信先端末において該パケットを用いて推定された行数がＭで列数がＮmax以下となるチャネル行列から作成される、ビーム形成用送信重み行列を算出するために必要となるビーム形成用情報を受信するビーム形成用情報受信手段と、
該受信したビーム形成用情報に基づいてビーム形成用の送信重み行列を設定する送信重み行列設定手段と、
該設定したビーム形成用の送信重み行列を用いて各アンテナをビーム形成して、前記送信先端末へデータ・パケットを送信するデータ送信手段と、
を具備することを特徴とする無線通信装置。
【請求項３】
所定の標準仕様に準じて前記送信先端末への順方向の空間多重ストリーム伝送が行なわれ、該標準仕様に則ったプロトコル上では、所定のマネジメント・フレームにおいて、Ｅｘｐｌｉｃｉｔ  ｆｅｅｄｂａｃｋにおけるＢｅａｍｆｏｒｍｅｅとしてトレーニング系列を含んだパケットを受信する際の可能な最大の空間次元を記述する能力記述フィールドが定義されており、
前記通知受信手段は、前記能力記述フィールドを記載したマネジメント・フレームを前記送信先端末から受信することで、チャネル行列推定時における最大次元Ｎmaxの通知を受信する、
ことを特徴とする請求項２に記載の無線通信装置。
【請求項４】
前記トレーニング手段は、チャネルを励起するためのｓｏｕｎｄｉｎｇパケットの中に前記送信先端末に対してビーム形成用情報のフィードバックを要求する要求信号を含める、
ことを特徴とする請求項２に記載の無線通信装置。
【請求項５】
前記トレーニング手段は、データ・シンボルを含まないチャネルを励起する専用のｓｏｕｎｄｉｎｇパケットを送信するときには、該ｓｏｕｎｄｉｎｇパケットに先立って送信されるデータ・シンボルを含むパケットの中に前記第１の端末から前記第２の端末に対してチャネル情報のフィードバックを要求する要求信号を含める、
ことを特徴とする請求項２に記載の無線通信装置。
【請求項６】
前記トレーニング手段は、前記送信先端末へ、データ部分の空間分離処理に使用するトレーニング信号部分と、データのストリーム数以上の空間次元のチャネルを励起するためのトレーニング信号を時間的に分離したｓｔａｇｇｅｒｅｄフォーマットによりｓｏｕｎｄｉｎｇパケットを送信する、
ことを特徴とする請求項２に記載の無線通信装置。
【請求項７】
前記トレーニング手段は、データ部分の空間分離処理に使われるトレーニング信号部分ではＮmax個の空間次元のチャネルを励起し、残りの（Ｎ−Ｎmax）個の空間次元のチャネルを励起するためのトレーニング信号を信号自体の空間分離には無関係となる構成のｓｏｕｎｄｉｎｇパケットを前記送信先端末へ送信する、
ことを特徴とする請求項６に記載の無線通信装置。
【請求項８】
前記トレーニング手段は、データ部分の空間分離処理に使われるトレーニング信号部分ではＮmax個の空間次元のチャネルを励起し、残りの（Ｎ−Ｎmax）個の空間次元のチャネルを励起するためのトレーニング信号を含まないｓｏｕｎｄｉｎｇパケットを前記送信先端末へ送信する、
ことを特徴とする請求項７に記載の無線通信装置。
【請求項９】
前記トレーニング手段は、送信ストリームの次元数を前記最大次元Ｎmax以下に抑制する際に、Ｎmax本以下の送信ストリームをＮ本すべての送信アンテナ・ブランチに割り当てる変換を行なう、
ことを特徴とする請求項２に記載の無線通信装置。
【請求項１０】
前記トレーニング手段は、Ｎmax次元の送信ストリームに対して行数がＮで列数がＮmax以下となるマッピング行列を乗算することで、Ｎ本の送信アンテナ・ブランチに割り当てる、
ことを特徴とする請求項９に記載の無線通信装置。
【請求項１１】
前記データ送信手段は、前記ビーム形成手段を用いて形成された送信ストリームに対して、前記トレーニング手段と同一となる送信アンテナ・ブランチへの割り当てを行なう、
ことを特徴とする請求項９に記載の無線通信装置。
【請求項１２】
無線通信信号としてＯＦＤＭ変調が用いられ、
前記トレーニング手段は、マッピング行列を乗算した後の各送信アンテナ・ブランチに異なるサイクリック・シフト遅延量を与える、
ことを特徴とする請求項１０に記載の無線通信装置。
【請求項１３】
無線通信信号としてＯＦＤＭ変調が用いられ、
前記データ送信手段は、Ｎmax次元の送信ストリームをＮ本すべての送信アンテナ・ブランチに割り当てる変換を行なう際に、サブキャリア単位で異なる割り当てを行なう、
ことを特徴とする請求項１０に記載の無線通信装置。
【請求項１４】
前記ビーム形成用情報受信手段は、前記送信先端末において推定された行数がＭで列数がＮmax以下となるチャネル行列をＣＳＩ情報として受信し、
前記送信重み行列設定手段は、該受信したＣＳＩ情報を基にビーム形成用の送信重み行列を算出する、
ことを特徴とする請求項２に記載の無線通信装置。
【請求項１５】
前記ビーム形成用情報受信手段は、前記送信先端末において推定チャネル行列から算出される行数がＭで列数がＮmax以下となるビーム形成用の送信重み行列を圧縮又は非圧縮形式で受信し、
前記送信重み行列設定手段は、該受信したビーム形成用の送信重み行列を用いる、
ことを特徴とする請求項２に記載の無線通信装置。
【請求項１６】
Ｎ本のアンテナを備えた無線通信装置において、Ｍ本のアンテナを備えた送信先端末へ空間多重されたストリームを用いてデータ伝送を行なう無線通信方法であって（但し、Ｎは２以上の整数で、Ｍは１以上の整数とする）、
前記送信先端末が持つチャネル行列推定時における最大次元Ｎmaxの通知を受信する通知受信ステップと（但し、ＮmaxはＭ以下の整数）、
前記最大次元Ｎmaxに対応したチャネルを励起するためのトレーニング系列を含んだパケットを前記送信先端末へ送信するトレーニング・ステップと、
Ｎ＞Ｍとなる場合において、前記送信先端末において該パケットを用いて推定された行数がＭで列数がＮmax以下となるチャネル行列から作成される、ビーム形成用送信重み行列を算出するために必要となるビーム形成用情報を受信するビーム形成用情報受信ステップと、
該受信したビーム形成用情報に基づいてビーム形成用の送信重み行列を設定する送信重み行列設定ステップと、
該設定したビーム形成用の送信重み行列を用いて各アンテナをビーム形成して、前記送信先端末へデータ・パケットを送信するデータ送信ステップと、
を有することを特徴とする無線通信方法。